(57)【要約】【課題】可搬型の電力供給装置に接続された負荷が加熱状態から保温状態に遷移するとエンジンを停止して蓄電池から電力を供給すること。【解決手段】電力供給装置は負荷の特徴量と、記憶手段に記憶されている特徴量とに基づき、負荷を推定する。電力供給装置は推定された負荷が保温機能を有する場合に、負荷に流れる電流に基づき負荷が保温状態に遷移したかどうかを判定する。電力供給装置は負荷の動作状態が加熱状態であるときはエンジンを稼働させ、発電機により発電された電力を負荷に供給する。電力供給装置は負荷の動作状態が保温状態に遷移するとエンジンを停止させ、蓄電池に蓄電されている電力を負荷に供給する。【選択図】図５
2019165575.tif 000002
【特許請求の範囲】
【請求項１】
可搬型の電力供給装置であって、
エンジンにより駆動されて発電する発電機と、
前記発電機により発電された電力により充電される蓄電池と、
負荷に供給される電圧と電流とを計測する計測手段と、
前記計測手段により計測された電圧の計測値と電流の計測値から前記負荷の特徴量を演算する演算手段と、
負荷ごとの特徴量を予め記憶した記憶手段と、
前記演算手段により演算された特徴量と、前記記憶手段に記憶されている特徴量とに基づき、前記電力供給装置に接続されている負荷を推定する負荷推定手段と、
前記負荷推定手段により推定された負荷が保温機能を有する場合に、前記計測手段により計測された電流に基づき前記負荷が加熱状態から保温状態に遷移したかどうかを判定する状態判定手段と、
前記負荷の動作状態が前記加熱状態であるときは前記エンジンを稼働させ、前記発電機により発電された電力を前記負荷に供給し、前記負荷の動作状態が前記加熱状態から前記保温状態に遷移すると前記エンジンを停止させ、前記蓄電池に蓄電されている電力を前記負荷に供給する制御手段と、
を有することを特徴とする可搬型の電力供給装置。
【請求項２】
前記記憶手段は、負荷ごとに保温機能の有無を示す負荷情報を記憶しており、
前記可搬型の電力供給装置は、
前記負荷推定手段により推定された負荷が保温機能を有しているかどうかを前記負荷情報に基づき判定する保温判定手段をさらに有することを特徴とする請求項１に記載の可搬型の電力供給装置。
【請求項３】
可搬型の電力供給装置であって、
エンジンにより駆動されて発電する発電機と、
前記発電機により発電された電力により充電される蓄電池と、
負荷に供給される電圧と電流とを計測する計測手段と、
前記計測手段により計測された電圧の計測値と電流の計測値から前記負荷の特徴量を演算する演算手段と、
負荷ごとの特徴量を予め記憶した記憶手段と、
前記演算手段により演算された特徴量と、前記記憶手段に記憶されている特徴量とに基づき、前記電力供給装置に接続されている負荷を推定する負荷推定手段と、
前記負荷推定手段により推定された負荷が大電力消費状態と小電力消費状態とを有している場合に、前記計測手段により計測された電流に基づき前記負荷が前記大電力消費状態から前記小電力消費状態に遷移したかどうかを判定する判定手段と、
前記負荷の動作状態が前記大電力消費状態であるときは前記エンジンを稼働させ、前記発電機により発電された電力を前記負荷に供給し、前記負荷の動作状態が前記大電力消費状態から前記小電力消費状態に遷移すると前記エンジンを停止させ、前記蓄電池に蓄電されている電力を前記負荷に供給する制御手段と、
を有することを特徴とする可搬型の電力供給装置。
【請求項４】
前記負荷は、保温機能を有する炊飯器、電気ケトルまたは調理器具であることを特徴とする請求項１ないし３のいずれか一項に記載の可搬型の電力供給装置。
【請求項５】
前記負荷は、保冷機能を有する冷蔵庫であることを特徴とする請求項１ないし３のいずれか一項に記載の可搬型の電力供給装置。
【請求項６】
前記負荷は、前記大電力消費状態に対応した通常モードと前記小電力消費状態に対応した電力節約モードを有する電気機器であることを特徴とする請求項３に記載の可搬型の電力供給装置。
【発明の詳細な説明】
【技術分野】
【０００１】
本発明は発電機や蓄電池などの可搬型の電力供給装置に関する。
【背景技術】
【０００２】
発電機には様々な負荷（電気機器）が接続される。エンジン駆動式の発電機では燃料がなくなれば、発電することができない。たとえば、炊飯器が炊飯を完了する前に燃料切れになると、ご飯ができないばかりか、お米が無駄になってしまう。そのため、発電機に接続された負荷の種類や名称が推定できれば、負荷に十分に電力を供給できるほど燃料が残っているかどうかも判定可能となろう。
【０００３】
特許文献１によれば電流の基本波や高調波と電気機器の動作状態とをニューラルネットワークに学習させることで電気機器の動作状態を判別することが記載されている。特許文献２によれば電流の基本波や高調波を周波数解析することで負荷が稼働状態かどうかを判定することが記載されている。
【先行技術文献】
【特許文献】
【０００４】
【特許文献１】特開２０００−２９２４６５号公報
【特許文献２】特開２００７−００３２９６号公報
【発明の概要】
【発明が解決しようとする課題】
【０００５】
特許文献１によればニューラルネットワークに学習させるために膨大な数の教師データが必要となってしまう。そもそも、特許文献１は負荷の種類を特定するものではない。特許文献２では周波数解析が必要となるため、演算量が膨大となる。また、特許文献２も負荷の種類を特定するものではない。本発明は、可搬型の電力供給装置に接続された負荷の特徴量から負荷の種類を推定する。さらに、本発明は、可搬型の電力供給装置に接続され負荷が加熱状態から保温状態に遷移するとエンジンを停止して蓄電池から電力を供給することを目的とする。
【課題を解決するための手段】
【０００６】
本発明は、たとえば、
エンジンにより駆動されて発電する発電機と、
前記発電機により発電された電力により充電される蓄電池と、
負荷に供給される電圧と電流とを計測する計測手段と、
前記計測手段により計測された電圧の計測値と電流の計測値から前記負荷の特徴量を演算する演算手段と、
負荷ごとの特徴量を予め記憶した記憶手段と、
前記演算手段により演算された特徴量と、前記記憶手段に記憶されている特徴量とに基づき、前記電力供給装置に接続されている負荷を推定する負荷推定手段と、
前記負荷推定手段により推定された負荷が保温機能を有する場合に、前記計測手段により計測された電流に基づき前記負荷が加熱状態から保温状態に遷移したかどうかを判定する状態判定手段と、
前記負荷の動作状態が前記加熱状態であるときは前記エンジンを稼働させ、前記発電機により発電された電力を前記負荷に供給し、前記負荷の動作状態が前記加熱状態から前記保温状態に遷移すると前記エンジンを停止させ、前記蓄電池に蓄電されている電力を前記負荷に供給する制御手段と、
を有することを特徴とする可搬型の電力供給装置を提供する。
【発明の効果】
【０００７】
本発明によれば、可搬型の電力供給装置に接続された負荷が加熱状態から保温状態に遷移するとエンジンを停止して蓄電池から電力を供給することが可能となる。
【図面の簡単な説明】
【０００８】
【図１】電力供給装置の構成例を説明する図
【図２】電力供給装置の制御回路を説明するブロック図
【図３】特徴量データに含まれうる特徴量マップを説明する図
【図４】電力データを説明する図
【図５】負荷推定方法を示すフローチャート
【図６】負荷推定方法を示すフローチャート
【発明を実施するための形態】
【０００９】
［電力供給装置］
図１は電力供給装置１を示すブロック図である。電力供給装置１は一つ以上の負荷（電気機器）に対して電力を供給可能な装置である。電力供給装置１は、たとえば、キャンプ場などの野外で使用可能な可搬型のエンジン駆動発電機である。エンジン２は燃料タンクから供給される燃料にしたがって動作する内燃機関である。発電機１５はエンジン２により駆動されて発電する発電機である。燃料は、たとえば、ガソリン、液化石油ガス、水素などである。電源回路３は、発電機１５により発電された電圧を所定の交流や直流に変換する回路である。ＡＣ／ＤＣ回路４は、発電機１５により発電された交流を整流および平滑する整流平滑回路などを有している。インバータ回路５は、ＡＣ／ＤＣ回路４または蓄電池１４から出力される直流を所定周波数の安定した交流に変換する回路である。計測回路６は、ＡＣアウトレット７に接続された負荷１７に供給される交流電圧と交流電流とを計測し、計測結果を制御回路１１に出力する。ＡＣアウトレット７は、負荷１７を接続可能とするためにレセプタクルを有していてもよい。制御回路１１は、電源回路３、通信回路１２および表示装置１３などを制御する回路である。通信回路１２は、有線または無線を介してスマートフォン１８やＰＣ（パーソナルコンピュータ）１９と通信する回路である。ＰＣ１９はインターネットに接続されたサーバ装置であってもよい。表示装置１３はユーザに対して負荷の種類を示す情報などを出力する。表示装置１３はタッチパネル型の入力装置を有していてもよい。制御回路１１は、計測回路６の計測結果に基づき負荷の特徴量を演算し、この特徴量に基づき負荷（種類や名称など）を推定する。制御回路１１は、推定された負荷が保温機能や節電モード（電力節約モード）を有している場合に、当該負荷が保温機能や節電モードに遷移すると、エンジン２を停止させ、蓄電池１４により負荷に電力を供給する。これにより、負荷が保温状態や節電モードで動作しているときは燃料の消費が抑制され、かつ、エンジン２の動作音が軽減される。制御回路１１は、スイッチ回路１６を制御して、ＡＣ／ＤＣ回路４または蓄電池１４をインバータ回路５に接続する。スイッチ回路１６は制御回路１１から出力される制御信号に応じて出力端子に接続される入力端子を切り替えるリレーデバイスまたは半導体スイッチデバイスであってもよい。
【００１０】
充電回路８は発電機１５により発電された電力に基づき蓄電池１４を充電する。電力供給装置１は、燃料が無くなった後も、蓄電池１４に蓄えられている電力を負荷１７に供給可能となる。電源回路３、制御回路１１、通信回路１２および表示装置１３は負荷推定装置１００を形成している。
【００１１】
［制御回路］
図２は制御回路１１を示している。図２において破線により示された部分はオプションである。ＣＰＵ２１は、記憶装置２２に記憶されている制御プログラムにしたがって電力供給装置１を制御するプロセッサ回路（中央演算処理装置）である。記憶装置２２は、不揮発性メモリ（ＲＯＭ:リードオンリーメモリ）や揮発性メモリ（ＲＡＭ：ランダムアクセスメモリ）などを有する記憶回路である。
【００１２】
ＣＰＵ２１は、制御プログラムを実行することで実現される複数の機能を有している。なお、これらの機能の一部またはすべてはＤＳＰ（デジタルシグナルプロセッサ）やＦＰＧＡ（フィールドプログラマブルゲートアレイ）などのハードウエア回路により実現されてもよい。特徴量演算部２３は計測回路６により計測された電圧の計測値と電流の計測値から負荷の特徴量を演算する。特徴量は、たとえば、皮相電力および力率である。力率は有効電力を皮相電力で除算することで得られるか、電圧と電流との位相差の余弦（ｃｏｓθ）として求められる。後者の場合、計測回路６は位相差θを計測する。さらに、特徴量は、負荷が起動してから安定して動作するまでに必要となる時間である安定時間や、負荷が起動するときに負荷に流れる起動電流のピーク値を含んでもよい。記憶装置２２は特徴量データ２６と電力データ２７とを記憶している。特徴量データ２６は、負荷の種類もしくは名称（または特徴量識別情報）と、負荷の特徴量とを関連付けて保持するデータである。負荷推定部２４は、特徴量演算部２３により演算された特徴量と、記憶装置２２に記憶されている既知の特徴量とに基づき、電力供給装置１に接続されている負荷を推定する。電力データ２７は、負荷ごとの定格消費電力や保温機能（または節電モード）の有無を示す負荷情報を含んでいてもよい。
【００１３】
保温機能判定部２９は、負荷推定部２４により推定された負荷が保温機能を有しているかどうかを判定する。負荷ごとの保温機能を有無は電力データ２７に保持されていてもよい。なお、保温機能判定部２９は、負荷推定部２４により推定された負荷が節電モードを有しているかどうかを判定してもよい。負荷ごとの節電モードの有無は電力データ２７に保持されていてもよい。状態判定部３０は、保温機能を有する負荷が加熱状態から保温状態に遷移したかどうかを、計測回路６の計測結果に基づき、判定する。加熱状態の消費電力は、保温状態の消費電力と比較して数倍から１０倍程度であってもよい。同様に、状態判定部３０は、節電モードを有する負荷が通常モードから節電モードに遷移したかどうかを、計測回路６の計測結果に基づき、判定する。通常モードの消費電力は節電モードの消費電力と比較して多い。電力供給制御部３１は、スイッチ回路１６を制御することで、発電機１５から負荷に電力を供給するか、蓄電池１４から負荷に電力を供給するかを切り替える。たとえば、負荷が保温状態や節電モードに遷移すると、電力供給制御部３１はエンジン２を停止させ、蓄電池１４から負荷に電力を供給するようにスイッチ回路１６を切り替える。電力供給制御部３１はエンジン２へ燃料を供給する燃料供給装置を停止させたり、点火装置を停止させたりすることで、エンジン２を停止させる。エンジン制御部２５は燃料供給装置や点火装置、セルモータなどを制御し、エンジン２を始動したり、停止させたりする。セルモータはリコイルスターターであってもよい。
【００１４】
［特徴量マップ］
図３は特徴量データ２６の一部を構成する特徴量マップを示している。ここでは、特徴量として皮相電力と力率が例示されている。図３には、負荷の特徴量Ｃｉの座標がドットにより示されている。ｉは特徴量を区別するための整数である。
特徴量Ｃ１は照明器具のみの特徴量を示している。
特徴量Ｃ２は炊飯器のみの特徴量を示している。
特徴量Ｃ４はコンプレッサーのみの特徴量を示している。
特徴量Ｃ５は電気ケトルのみの特徴量を示している。
特徴量Ｃ６はヒータのみの特徴量を示している。
特徴量Ｃ７はドライヤーのみの特徴量を示している。
特徴量Ｃｘは推定対象の負荷ｘの特徴量を示している。
【００１５】
負荷推定部２４は、特徴量演算部２３により演算された特徴量Ｃｘの座標と、記憶装置２２に記憶されている特徴量Ｃｉの座標との距離ｄｘｉを計算し、最小の距離ｄｍｉｎをもたらす記憶装置２２に記憶されている特徴量Ｃｉの座標を特定する。負荷推定部２４は、特定された特徴量に関連付けられている負荷の種類や名称（識別情報）を取得する。この例では、最小の距離ｄｍｉｎは距離ｄｘ４である。つまり、負荷推定部２４は、特徴量Ｃｘに対して特徴量Ｃ４が最も近いため、負荷Ｃｘをコンプレッサーであると推定する。
【００１６】
［電力データ］
図４は電力データ２７の一例を示している。電力データ２７は、負荷ごとの定格消費電力と保温機能の有無を示す負荷情報とを保持している。一つのレコードは負荷の識別情報、特徴量識別情報、定格消費電力および負荷情報を有している。負荷の識別情報と特徴量識別情報は統合されてもよい。図４において負荷情報は１ビットの情報であり、“１”は負荷が保温機能を有していることを示し、“０”は負荷が保温機能を有していないことを示している。たとえば、負荷推定部２４が、電力供給装置１に接続されている負荷を電気ケトルと推定すると、保温機能判定部２９は電気ケトルに対応する負荷情報を電力データ２７から取得する。保温機能判定部２９は、負荷情報が“１”であるため、電気ケトルは保温機能を有すると判定する。負荷推定部２４が、電力供給装置１に接続されている負荷を照明器具と推定すると、保温機能判定部２９は照明器具に対応する負荷情報を電力データ２７から取得する。保温機能判定部２９は、負荷情報が“０”であるため、照明器具は保温機能を有していないと判定する。
【００１７】
［負荷推定方法のフローチャート］
図５はＣＰＵ２１が制御プログラムにしたがって実行する負荷推定方法を示している。負荷推定方法には保温機能の判定処理や静穏化処理が含まれている。
【００１８】
Ｓ１でＣＰＵ２１（エンジン制御部２５）はエンジン２を始動する。たとえば、エンジン制御部２５はエンジン２のセルモータを駆動し、エンジン２の燃料供給装置により燃料の供給を開始し、さらにエンジン２の点火装置に電力の供給を開始することでエンジン２を始動する。この時点で、スイッチ回路１６は、蓄電池１４とインバータ回路５とを遮断し、ＡＣ／ＤＣ回路４とインバータ回路５とを接続する。なお、スイッチ回路１６は、蓄電池１４とＡＣ／ＤＣ回路４との両方をインバータ回路５に接続していてもよい。
【００１９】
Ｓ２でＣＰＵ２１（特徴量演算部２３）は計測回路６を用いて負荷１７に供給される電圧の計測値と電流の計測値とを取得する。
【００２０】
Ｓ３でＣＰＵ２１（特徴量演算部２３）は電圧と電流の計測値を用いて負荷１７の特徴量（例：力率や皮相電力）を取得する。
【００２１】
Ｓ４でＣＰＵ２１（負荷推定部２４）は、負荷１７の特徴量に近い既知の特徴量を探索することで、負荷１７を推定する。上述したように、記憶装置２２は、既知の特徴量を有する特徴量データ２６を記憶している。したがって、負荷推定部２４は負荷１７の特徴量に近い既知の特徴量を特徴量データ２６から特定し、特定した既知の特徴量に関連付けられている負荷の識別情報を取得する。負荷の識別情報は、たとえば、負荷の名称や種類などであってもよい。
【００２２】
Ｓ５でＣＰＵ２１（エンジン制御部２５）は、表示装置１３に設けられたタッチパネルや停止スイッチを通じてエンジン２の停止を指示されたかどうかを判定する。ユーザにより停止が指示されると、ＣＰＵ２１はＳ１１に進む。Ｓ１１でＣＰＵ２１（エンジン制御部２５）は、エンジン２を停止させる。ユーザにより停止が指示されていなければ、ＣＰＵ２１はＳ６に進む。
【００２３】
Ｓ６でＣＰＵ２１（保温機能判定部２９）は、負荷推定部２４により推定された負荷１７が保温機能を有しているかどうかを判定する。たとえば、保温機能判定部２９は、電力データ２７を参照し、負荷１７に対応するレコードから負荷情報を取得し、負荷情報に基づき保温機能の有無を判定する。なお、保温機能判定部２９は負荷推定部２４から負荷１７の識別情報や特徴量識別情報を取得し、これらの識別情報に対応するレコードを探索し、見つかったレコードから負荷情報を取得する。負荷１７が保温機能を有していなければ、ＣＰＵ２１はＳ５に戻る。一方、負荷１７が保温機能を有していれば、ＣＰＵ２１はＳ７に進む。
【００２４】
Ｓ７でＣＰＵ２１（状態判定部３０）は、負荷１７に流れる電流の計測値を計測回路６から取得する。
【００２５】
Ｓ８でＣＰＵ２１（状態判定部３０）は、電流の計測値に基づき負荷１７が加熱状態から保温状態に遷移したかどうかを判定する。たとえば、電流の計測値が閾値以下に低下すると、状態判定部３０は負荷１７が保温状態に遷移したと判定する。なお、閾値は、加熱状態における電流値と保温状態における電流値との間に設定される。これらの電流値または閾値が電力データ２７に含まれており、判定に利用されてもよい。負荷１７が保温状態に遷移していれば、ＣＰＵ２１はＳ９に進む。負荷１７が保温状態に遷移していなければ、ＣＰＵ２１はＳ５に戻る。
【００２６】
Ｓ９でＣＰＵ２１（電力供給制御部３１およびエンジン制御部２５）は、エンジン２を停止させる。これにより静穏化が実現される。電力供給制御部３１はエンジン制御部２５にエンジン２の停止を指示する。エンジン制御部２５は燃料供給装置と点火装置を停止させることで、エンジン２を停止させる。
【００２７】
Ｓ１０でＣＰＵ２１（電力供給制御部３１）は、蓄電池１４から負荷１７に電力を供給する。たとえば、電力供給制御部３１は、スイッチ回路１６を切り替え、蓄電池１４とインバータ回路５とを接続し、ＡＣ／ＤＣ回路４とインバータ回路５とを遮断する。インバータ回路５は蓄電池１４から供給される直流を交流に変換し、負荷１７に供給する。
【００２８】
［その他］
図６はＣＰＵ２１が制御プログラムにしたがって実行する負荷推定方法を示している。負荷推定方法には節電モードの判定処理や静穏化処理が含まれている。図６において図５の処理と共通する処理には同一の参照符号が付与されており、図５における説明が援用される。図６においてはＳ５で停止指示が検出されない場合にＣＰＵ２１はＳ２１に進む。なお、保温機能判定部２９は節電モード判定部として機能する。状態判定部３０は通常モードから節電モードへの遷移を判定したり、節電モードから通常モードへの遷移を判定したりする。また、電力データ２７は、保温機能の有無を示す負荷情報の代わりに、節電モードの有無を示す負荷情報を有している。
【００２９】
Ｓ２１でＣＰＵ２１（保温機能判定部２９）は、負荷推定部２４により推定された負荷１７が節電モードを有しているかどうかを判定する。たとえば、保温機能判定部２９は、電力データ２７を参照し、負荷１７に対応するレコードから負荷情報を取得し、負荷情報に基づき節電モードの有無を判定する。なお、保温機能判定部２９は負荷推定部２４から負荷１７の識別情報や特徴量識別情報を取得し、これらの識別情報に対応するレコードを探索し、見つかったレコードから負荷情報を取得する。負荷１７が節電モードを有していなければ、ＣＰＵ２１はＳ５に戻る。一方、負荷１７が節電モードを有していれば、ＣＰＵ２１はＳ７に進む。ＣＰＵ２１はＳ７を実行すると、次にＳ２２に進む。
【００３０】
Ｓ２２でＣＰＵ２１（状態判定部３０）は、電流の計測値に基づき負荷１７が通常モード（非節電モード）から節電モードに遷移したかどうかを判定する。たとえば、電流の計測値が閾値以下に低下すると、状態判定部３０は負荷１７が節電モードに遷移したと判定する。なお、閾値は、非節電モードにおける電流値と節電モードにおける電流値との間に設定される。これらの電流値または閾値が電力データ２７に含まれており、判定に利用されてもよい。負荷１７が節電モードに遷移していなければ、ＣＰＵ２１はＳ５に戻る。負荷１７が節電モードに遷移していれば、ＣＰＵ２１はＳ９に進む。ＣＰＵ２１はＳ９およびＳ１０を実行すると、次にＳ２３に進む。節電モードはスタンバイモードやスリープモードと呼ばれてもよい。
【００３１】
Ｓ２３でＣＰＵ２１（状態判定部３０）は、電流の計測値に基づき負荷１７が節電モードから通常モードに復帰したかどうかを判定する。たとえば、電流の計測値が閾値を超えると、状態判定部３０は負荷１７が通常モードに復帰したと判定する。負荷１７が通常モードに復帰していなければ、ＣＰＵ２１はＳ１０に戻る。一方、負荷１７が通常モードに復帰したのであれば、ＣＰＵ２１はＳ２４に進む。
【００３２】
Ｓ２４でＣＰＵ２１（電力供給制御部３１およびエンジン制御部２５）はエンジン２を再始動し、発電機１５から出力される電力を負荷１７に供給する。たとえば、スイッチ回路１６は、電力供給制御部３１からの制御信号に基づき、蓄電池１４とインバータ回路５とを遮断し、ＡＣ／ＤＣ回路４とインバータ回路５とを接続する。あるいは、スイッチ回路１６は、蓄電池１４とＡＣ／ＤＣ回路４との両方をインバータ回路５に接続していてもよい。
【００３３】
［まとめ］
第１態様によれば、エンジン２により駆動されて発電する発電機１５と、発電機１５により発電された電力により充電される蓄電池１４とを有する可搬型の電力供給装置１が提供される。計測回路６は負荷１７に供給される電圧と電流とを計測する計測手段の一例である。ＣＰＵ２１や特徴量演算部２３は、計測手段により計測された電圧の計測値と電流の計測値から負荷１７の特徴量を演算する演算手段の一例である。記憶装置２２は、負荷ごとの特徴量を予め記憶した記憶手段の一例である。ＣＰＵ２１や負荷推定部２４は、演算手段により演算された特徴量と、記憶手段に記憶されている特徴量とに基づき、電力供給装置１に接続されている負荷を推定する負荷推定手段の一例である。ＣＰＵ２１や状態判定部３０は、負荷推定手段により推定された負荷が保温機能を有する場合に、計測手段により計測された電流に基づき負荷が加熱状態から保温状態に遷移したかどうかを判定する状態判定手段の一例である。ＣＰＵ２１や電力供給制御部３１などは負荷１７の動作状態が加熱状態であるときはエンジン２を稼働させ、発電機１５により発電された電力を負荷１７に供給し、負荷１７の動作状態が加熱状態から保温状態に遷移するとエンジン２を停止させ、蓄電池１４に蓄電されている電力を負荷に供給する制御手段の一例である。これにより、可搬型の電力供給装置１に接続された負荷１７が加熱状態から保温状態に遷移するとエンジン２を停止して蓄電池１４から電力を供給することが可能となる。これにより、負荷１７が保温状態にある期間においてはエンジン２の動作音が発生せず、燃料の消費も発生しない。なお、蓄電池１４の残量が少なくなると、ＣＰＵ２１はエンジン２を再始動して、発電機１５による負荷１７への電力の供給と蓄電池１４への充電とを実行してもよい。
【００３４】
第２態様によれば、記憶手段は、負荷ごとに保温機能の有無を示す負荷情報を記憶していてもよい。可搬型の電力供給装置１は、負荷推定手段により推定された負荷が保温機能を有しているかどうかを負荷情報に基づき判定する保温判定手段をさらに有してもよい。保温機能判定部２９は保温判定手段の一例である。
【００３５】
第３態様によれば、エンジン２により駆動されて発電する発電機１５と、発電機１５により発電された電力により充電される蓄電池１４とを有する可搬型の電力供給装置１が提供される。計測回路６は負荷に供給される電圧と電流とを計測する計測手段の一例である。ＣＰＵ２１や特徴量演算部２３は計測手段により計測された電圧の計測値と電流の計測値から負荷の特徴量を演算する演算手段の一例である。記憶装置２２は負荷ごとの特徴量を予め記憶した記憶手段の一例である。ＣＰＵ２１や負荷推定部２４は演算手段により演算された特徴量と、記憶手段に記憶されている特徴量とに基づき、電力供給装置に接続されている負荷を推定する負荷推定手段の一例である。ＣＰＵ２１や状態判定部３０は負荷推定手段により推定された負荷が大電力消費状態と小電力消費状態とを有している場合に、計測手段により計測された電流に基づき負荷が大電力消費状態から小電力消費状態に遷移したかどうかを判定する判定手段の一例である。通常モードや非節電モードは大電力消費状態の一例である。節電モードは小電力消費状態の一例である。ＣＰＵ２１や電力供給制御部３１などは負荷１７の動作状態が大電力消費状態であるときはエンジン２を稼働させ、発電機１５により発電された電力を負荷１７に供給し、負荷１７の動作状態が大電力消費状態から小電力消費状態に遷移するとエンジン２を停止させ、蓄電池１４に蓄電されている電力を負荷１７に供給する制御手段の一例である。これにより、負荷１７が節電モードにある期間においてはエンジン２の動作音が発生せず、燃料の消費も発生しない。なお、蓄電池１４の残量が少なくなると、ＣＰＵ２１はエンジン２を再始動して、発電機１５による負荷１７への電力の供給と蓄電池１４への充電とを実行してもよい。
【００３６】
第４態様によれば、負荷１７は、保温機能を有する炊飯器、電気ケトルまたは調理器具であってもよい。
【００３７】
第５態様によれば、負荷１７は、保冷機能を有する冷蔵庫であってもよい。夏のキャンプにおいて、可搬型の冷蔵庫が使用される機会は増えるであろう。冷蔵庫は、内部の温度が所定温度に達するまで大電力を消費し、内部の温度が所定温度に達すると小電力を消費する。したがって、上記の発明の実施の形態の説明において保温機能は保冷機能に読み替え可能である。
【００３８】
第６態様によれば、負荷１７は、大電力消費状態に対応した通常モード（非節電モード）と小電力消費状態に対応した電力節約モードを有する電気機器であってもよい。
【図１】
2019165575.tif 000003
【図２】
2019165575.tif 000004
【図３】
2019165575.tif 000005
【図４】
2019165575.tif 000006
【図５】
2019165575.tif 000007
【図６】
2019165575.tif 000008